(57)【要約】【課題】屋内での使用に好適な屋外用冷蔵庫を提供すること。【解決手段】屋外用冷蔵庫は、庫内温度を調整する冷却部の少なくとも一部を収容する機械室と、前記機械室の外表面における所定エリアに設けられた空気取込み口であって、所定の開口面積を有する少なくとも一つの貫通孔を含む空気吸込み口と、前記開口面積よりも小さな開孔が複数形成され、前記空気吸込み口を前記機械室の外部側から覆うエアフィルタと、前記機械室の外表面において、前記所定エリアの周囲に設けられ、前記エアフィルタの外縁がかかって止まる係止部と、を備え、前記エアフィルタは前記係止部から着脱可能である。【選択図】図１
2017172892.tif 000002
【特許請求の範囲】
【請求項１】
庫内温度を調整する冷却部の少なくとも一部を収容する機械室と、
前記機械室の外表面における所定エリアに設けられた空気取込み口であって、所定の開口面積を有する少なくとも一つの貫通孔を含む空気吸込み口と、
前記開口面積よりも小さな開孔が複数形成され、前記空気吸込み口を前記機械室の外部側から覆うエアフィルタと、
前記機械室の外表面において、前記所定エリアの周囲に設けられた係止部であって、前記エアフィルタの外縁がかかって止まる係止部と、を備え、
前記エアフィルタは前記係止部から着脱可能である、屋外用冷蔵庫。
【請求項２】
前記係止部は、前記機械室の外表面において、前記所定エリアの上縁および下縁に沿って設けられ、前記エアフィルタの上縁がかかって止まる上部係止部と、その下縁がかかって止まる下部係止部を含む、請求項１に記載の屋外用冷蔵庫。
【請求項３】
前記少なくとも一つの貫通孔は、前記所定エリアにおいて上下方向に並ぶ複数の貫通孔であって、
前記上部係止部は、水平方向からの平面視で、前記複数の貫通孔のうち最も上にあるものの全域を覆う、請求項２に記載の屋外用冷蔵庫。
【請求項４】
前記下部係止部は、前記エアフィルタの下縁の両側だけがかかって止まるよう構成される、請求項２または３に記載の屋外用冷蔵庫。
【発明の詳細な説明】
【技術分野】
【０００１】
本開示は、屋内でも利用可能な屋外用冷蔵庫に関する。
【背景技術】
【０００２】
入場制限時間のある建物にも、コンビニエンスストア等の店舗が設置される場合がある。かかる店舗では、商品が入場制限時間に配送されても店舗内に搬入出来ないので、建物外に設定された屋外用冷蔵庫に、商品が一時的に保管される（例えば、特許文献１を参照）。
【先行技術文献】
【特許文献】
【０００３】
【特許文献１】特開平７−１２７９７０号公報
【発明の概要】
【発明が解決しようとする課題】
【０００４】
買い手の立場からすると、屋外用冷蔵庫が屋内でも使用可能であれば、購入時に、屋外型および屋内型のいずれかを特定して発注する必要が無くなる。即ち、購入時における買い手の手間を省くことが出来る。
【０００５】
しかし、屋内は屋外よりも多くの綿ぼこりが発生するため、屋外用冷蔵庫の吸込み口から機械室に侵入する可能性がある。
【０００６】
それゆえに、本開示の目的は、屋内での使用に好適な屋外用冷蔵庫を提供することである。
【課題を解決するための手段】
【０００７】
本開示に係る屋外用冷蔵庫は、庫内温度を調整する冷却部の少なくとも一部を収容する機械室と、前記機械室の外表面における所定エリアに設けられた空気取込み口であって、所定の開口面積を有する少なくとも一つの貫通孔を含む空気吸込み口と、前記開口面積よりも小さな開孔が複数形成され、前記空気吸込み口を前記機械室の外部側から覆うエアフィルタと、前記機械室の外表面において、前記所定エリアの周囲に設けられた係止部であって、前記エアフィルタの外縁がかかって止まる係止部と、を備え、前記エアフィルタは前記係止部から着脱可能である。
【発明の効果】
【０００８】
上記開示によれば、屋内での使用に好適な屋外用冷蔵庫を提供することが出来る。
【図面の簡単な説明】
【０００９】
【図１】本開示に係る屋外用冷蔵庫を示す斜視図である。
【図２】図１の屋外冷蔵庫に備わる冷却部の冷媒回路図である。
【図３】図１の機械室に収容される冷却部の構成の上面図である。
【図４Ａ】図１の機械室（エアフィルタ取り外し時）の正面図である。
【図４Ｂ】図２の機械室を下斜め下方から見た時の斜視図である。
【図４Ｃ】図２の一点鎖線Ｂ−Ｂ’に沿う機械室の前面の断面を左右いずれかの方向から見た図である。
【発明を実施するための形態】
【００１０】
≪１．実施形態≫
以下、上記図面を参照して、本開示に係る屋外用冷蔵庫１について詳説する。
≪１−１．定義≫
図中、ｘ軸およびｙ軸は水平方向を示す。ｘ軸は特に、屋外用冷蔵庫１の左右方向を示し、ｙ軸は特に、屋外用冷蔵庫１の前後方向を示し、ｚ軸は、鉛直方向または屋外用冷蔵庫１の上下方向を示す。
【００１１】
≪１−２．屋外用冷蔵庫１の基本構成≫
屋外用冷蔵庫１は、基本的には、図１〜図４Ｃに示すように、筐体２と、扉３と、冷却部４と、機械室５と、を備えている。
【００１２】
筐体２は、大略的には、例えば金属製の外装体および内装体を含む。外装体は、筐体２の外形を定義する。内装体は、外装体の内側に設けられ、保存対象物を収容するためのスペース（以下、庫内スペースという）を定義する。庫内スペースは、例えば、食品等を収容した番重を積載可能な広さを有する。
【００１３】
扉３は、ユーザ操作により、例えば二個のヒンジ３１の回転軸まわりに回転し開閉する。この扉３には、開閉時にユーザが把持するハンドル３２が設けられる。かかる扉３は閉じた時に庫内スペースを塞ぐ。それに対し、扉３を開いた時、ユーザは、庫内スペースに保存された保存対象物を庫外に運び出すことが出来る。また、庫内スペース内の保存対象物の盗難防止用に、筐体２と扉３には南京錠の取付金具３３が設けられている。
【００１４】
本屋外用冷蔵庫１には、冷却部４が備わっている。冷却部４には、図２に明示の通り、圧縮機４１と、コンデンサ４２と、キャピラリチューブ等からなる膨張器４３と、エバポレータ４４とが、この順番で、冷媒配管によって流体連通可能に接続される。冷却部４はさらに、コンデンサ側ファン４５と、コンデンサ側モータ４６と、エバポレータ側ファン４７と、エバポレータ側モータ４８と、を備えている。
【００１５】
上記冷却部４のうち、圧縮機４１と、コンデンサ４２と、膨張器４３と、コンデンサ側ファン４５と、コンデンサ側モータ４６とは、図３に明示のように、機械室５に収容される。機械室５は、図１に明示のように、筐体２の上方に設けられる。また、エバポレータ４４と、エバポレータ側ファン４７と、エバポレータ側モータ４８と、は、図示は省略されているが、筐体２において機械室５の真下に収容される。エバポレータ４４、エバポレータ側ファン４７およびエバポレータ側モータ４８の配置に関しては、特開平５−２９６６４４号公報に記載の通り周知であると共に、本開示の要部ではないため、その図示および説明を控える。
【００１６】
機械室５にはさらに、操作盤５１と、制御部５２とが設けられる。操作盤５１は、ユーザが操作可能なキーと、ディスプレイと、を有する。このキーを操作することで、ユーザは、庫内スペースの温度（以下、設定温度という）を設定する。ディスプレイには、現在の設定温度が表示される。制御部５２は、マイコン等を含み、庫内スペース内の温度を設定温度となるように、圧縮機４１の回転速度等を制御する。かかる庫内温度制御時における冷却部４の各構成の動作は周知であり、かつ本開示の要部では無いため、その説明を控える。
【００１７】
ここで、本開示では、コンデンサ４２での熱交換のために、機械室５の外表面に空気吸込み口５３が設けられる。本開示では、空気吸込み口５３は、図４Ａ等において破線の枠で示す所定エリアＡに設けられ、所定エリアＡは、例えば、機械室５の前面右寄りに定義された略矩形形状を有するエリアである。空気吸込み口５３は、図４Ｂに明示のように、上下左右方向に行列上に並ぶ複数の貫通孔５３１と含む。複数の貫通孔５３１のそれぞれは、所定の開口面積を有する。空気吸込み口５３の開口面積（即ち、全貫通孔５３１の開口面積の合計）は、必要な熱交換能力が得られる開口面積の二倍程度大きく設計される。種々の実験の結果、二倍程度大きくすれば、仮に綿ぼこりによってコンデンサ４２の熱効率が低下しても、圧縮機４１の高圧異常が起こる可能性が無視できる程度まで下がり、圧縮機４１の使用基準を充足することができる。なお、二倍以上大きくしてもよいが、開口面積を大きくするほど、空気吸込み口５３の強度が弱くなるため、二倍程度が望ましい。また、複数の貫通孔５３１のそれぞれは、最上列をなす貫通孔５３１を除き、防水や防塵等のために、庇５３２で覆われている。なお、図４Ｂでは、図示が煩雑にならないように、複数の貫通孔のうち上下方向一列分にのみ、参照符号５３１が付され、複数の庇５３２のうち上下方向一列分にのみ、参照符号５３２が付されている。
【００１８】
また、機械室５の外表面の少なくとも一か所には、図１等に示すように、機械室５内の空気を外部に排出するために、空気吹き出し口５４も設けられる。
【００１９】
≪１−３．エアフィルタ６および係止部７≫
本屋外用冷蔵庫１を屋内でも使用可能であれば、買い手は、購入時に、屋外専用の冷蔵庫および屋内専用の冷蔵庫のいずれかを特定して発注する必要が無くなる。従って、発注時における買い手の手間を省くことが出来る。
【００２０】
しかし、屋内は屋外よりも多くの綿ぼこりが発生するため、屋外用冷蔵庫１の空気吸込み口５３から機械室５の内部に綿ぼこりが侵入する可能性がある。このような状況が長期にわたり続くと、機械室５に収容された各部の動作や性能に影響が出ることも予想される。特に、コンデンサ４２に綿ぼこりがたまり熱交換できなくなることが予想される。
【００２１】
上記に鑑み、本屋外用冷蔵庫１は、図４Ａ，図４Ｃ等に示すように、エアフィルタ６と、係止部７と、を備えている。
エアフィルタ６は、本屋外用冷蔵庫１に対し着脱可能であり、例えば、樹脂等で作製されたメッシュフィルタである。このエアフィルタ６は、機械室５の外部側から上記所定エリアＡを覆うことが可能な程度の大きさを有する。また、エアフィルタ６には、綿ぼこりを捕集可能で上記開口面積よりも小さなサイズの開孔が多数形成される。エアフィルタ６の開孔率は、エアフィルタ６で所定エリアＡを覆った時に、コンデンサ４２に要求される熱交換能力を満足する値に設計される。
【００２２】
係止部７は、図４Ａ〜図４Ｃから分かるように、機械室５の外表面において所定エリアＡの周囲に設けられ、本開示では、下部係止部７１と、上部係止部７２と、を含む。
【００２３】
下部係止部７１は、例えば板金で作製されて、上記所定エリアＡの下縁に沿うように溶接等の手法で機械室５の外表面に固着される。この下部係止部７１は、より具体的には、図４Ｂ，図４Ｃに明示のように、機械室５の外表面から前方に突出し、前端から上方に屈曲する。下部係止部７１の前後方向への大きさは、エアフィルタ６の厚さよりも大きな値に設計される。また、その上下方向への大きさは、前方からの平面視で、いずれの貫通孔５３１ともオーバーラップしないよう設計される。
【００２４】
上部係止部７２は、例えば板金で作製されて、上記所定エリアＡの上縁に沿うように溶接等の手法で機械室５の外表面に固着される。この上部係止部７２は、より具体的には、図４Ｂ，図４Ｃに明示のように、複数の貫通孔５３１の最上列の鉛直上方向から前方に突出し、前端から下方に屈曲している。上部係止部７２の前後方向への大きさは、エアフィルタ６の厚さよりも大きな値に設計される。また、その上下方向への大きさは、前方からの平面視で、上部係止部７２が複数の貫通孔５３１のうち最上列をなすものを完全に覆うように設計される。換言すると、前方からの平面視で、上部係止部７２の外形線が複数の貫通孔５３１のうち最上列をなすものを内包する。また、上部係止部７２の左右両側は閉止される。この形状により、上部係止部７２は、複数の貫通孔５３１のうち最上列をなすものの庇として機能する。
【００２５】
≪１−４．屋外用冷蔵庫１の屋内での使用方法および効果≫
本屋外用冷蔵庫１を屋内で使用する場合、ユーザは、エアフィルタ６を係止部７に係止させて、屋外用冷蔵庫１に取り付ける（図１を参照）。具体的には、図４Ａ〜図４Ｃから理解可能なように、ユーザは、エアフィルタ６の上縁を、上部係止部７２と機械室５の外表面の間に挿入した後、エアフィルタ６の下縁を、下部係止部７１と機械室５の外表面の間に挿入する。これにより、エアフィルタ６の下縁の上下方向位置および前後方向位置は下部係止部７１により規制される。また、エアフィルタ６の上縁の前後方向位置および左右方向位置は上部係止部７２により規制される。即ち、エアフィルタ６の上縁および下縁は、上部係止部７２および下部係止部７１にかかって止まる。これにより、エアフィルタ６は、屋内で発生する綿ぼこりを捕集可能となる。
【００２６】
以上の通り、エアフィルタ６を係止部７に着脱可能にしたことにより、本屋外用冷蔵庫１は屋内でも使用可能になるため、買い手が、購入時に、屋外型および屋内型のいずれかを特定して発注する必要が無くなる。即ち、購入時における買い手の手間を省くことが出来る。
【００２７】
なお、本屋外用冷蔵庫１を屋外で使用する場合、ユーザは、エアフィルタ６を係止部７から取り外す。
【００２８】
≪１−５．屋外用冷蔵庫１の好ましい構成≫
図４Ａ，図４Ｂに明示の通り、下部係止部７１の左右方向における中央部分は切り欠かれており、下部係止部７１は、エアフィルタ６の下縁の左右両側のみを受ける。これにより、ユーザは、エアフィルタ６を係止部７から容易に取り外すことが出来る。
【００２９】
また、上部係止部７２は、複数の貫通孔５３１のうち最上列をなすものの庇として機能するため、より多くの空気を機械室５の内部に取り込むことが可能となる。
【００３０】
≪１−６．付記≫
上記説明では、係止部７は、エアフィルタ６を下部係止部７１と上部係止部７２で係止していた。しかし、これに限らず、係止部７は、エアフィルタ６の下縁および左右両縁を係止するように構成されても良い。
【００３１】
また、エアフィルタ６および係止部７は扉３の上方（即ち、機械室５の正面）に設けられることが好ましいが、機械室５の左右いずれかの側面に設けられても構わない。
【産業上の利用可能性】
【００３２】
本発明に係る屋外用冷蔵庫は、屋内でも使用可能であり、業務用冷蔵庫等に好適である。
【符号の説明】
【００３３】
１  屋外用冷蔵庫
４  冷却部
５  機械室
５３  空気吸込み口
６  エアフィルタ
７  係止部
７１  下部係止部
７２  上部係止部
【図１】
2017172892.tif 000003
【図２】
2017172892.tif 000004
【図３】
2017172892.tif 000005
【図４Ａ】
2017172892.tif 000006
【図４Ｂ】
2017172892.tif 000007
【図４Ｃ】
2017172892.tif 000008